(57)【要約】【課題】  アポイントメントなく、飛び込み営業を行う場合に、営業担当者を適切に支援し、効率よく、しかも効果的に営業活動が行えるようにする。【解決手段】  営業支援装置１は、記憶装置１０３に営業担当者毎に営業担当者のテリトリーと取扱商品・役務に関する情報を保持し、企業ＤＢ１０４、店舗ＤＢ１０５、世帯ＤＢ１０６に訪問先候補に関する情報を記憶保持する。ユーザー端末装置３から営業担当者の識別情報と現在位置とを含む検索要求が送信されてくると、営業支援装置１の一覧リスト作成部１１０が、記憶装置１０３や企業ＤＢ１０４等の情報を参照し、当該営業担当者の受け持ち地域における、当該担当者の現在位置からの距離を考慮した訪問先候補の一覧リストを作成し、要求元のユーザー端末装置３に提供する。【選択図】図１
2014056364.tif 000002
【特許請求の範囲】
【請求項１】
営業支援装置と営業担当者が使用する端末装置とがネットワークを通じて接続されて形成される営業支援システムであって、
前記営業支援装置は、
営業担当者毎に受け持ち地域と取扱商品、役務に関する情報を保持する第１の記憶手段と、
営業担当者の訪問先候補に関する情報を保持する第２の記憶手段と、
前記端末装置からの営業担当者の識別情報と現在位置とを含む検索要求に応じて、前記第１、第２の記憶手段の情報を参照し、当該営業担当者の受け持ち地域における、前記現在位置からの距離を考慮した訪問先候補の一覧リストを作成する作成手段と、
前記一覧リストを前記検索要求の送信元の前記端末装置に提供する第１の提供手段と、
前記端末装置からの前記一覧リストに掲載された訪問先候補に関する情報の提供要求に応じて、当該訪問先候補に関する情報を取得する取得手段と、
取得手段が取得した当該訪問先候補に関する情報を前記提供要求の送信元の前記端末装置に提供する第２の提供手段と
を備え、
前記端末装置は、
自ユーザーの識別情報と自機の現在位置を含む検索要求を形成する第１の形成手段と、
前記検索要求を前記営業支援装置に送信する第１の送信手段と、
前記検索要求に応じて、前記営業支援装置から提供される訪問先候補の前記一覧リストを受信する第１の受信手段と、
前記一覧リストを表示手段に表示するように制御する第１の表示制御手段と、
前記表示手段に表示された一覧リストの中から目的とする訪問先候補の選択入力を受け付ける受付手段と、
選択された当該訪問先候補に関する情報の提供要求を形成する第２の形成手段と、
前記提供要求を前記営業支援装置に送信する第２の送信手段と、
前記提供要求に応じて、前記営業支援装置から提供される当該訪問先候補に関する情報を受信する第２の受信手段と、
当該訪問先候補に関する情報を表示手段に表示するように制御する第２の表示制御手段と
を備えることを特徴とする営業支援システム。
【請求項２】
請求項１に記載の営業支援システムであって、
前記端末装置から前記営業支援装置に対して提供を要求可能な前記訪問先候補に関する情報は、現在位置から当該訪問先候補までの経路を示す地図情報と当該訪問先候補に関する詳細情報との一方あるいは両方であることを特徴とする営業支援システム。
【請求項３】
請求項１に記載の営業支援システムであって、
前記営業支援装置は、
前記第２の記憶手段に保持する前記訪問先候補に関する情報を、前記ネットワークを通じて収集する収集手段を備え、
前記端末装置は、
前記営業支援装置から前記訪問先候補に関する情報として、訪問先候補の連絡先を示す情報の提供を受けることができる場合に、当該連絡先を示す情報に基づいて連絡を入れるようにする連絡実行手段を備えることを特徴とする営業支援システム。
【請求項４】
請求項３に記載の営業支援システムであって、
前記訪問先候補の連絡先を示す情報は、電話番号、電子メールアドレス、ブログのＵＲＬ（Uniform Resource Locator）、参加しているＳＮＳ（social networking service）の情報であることを特徴とする営業支援システム。
【請求項５】
営業支援装置と営業担当者が使用する端末装置とがネットワークを通じて接続されて形成される営業支援システムにおいて用いられる営業支援方法であって、
前記営業支援装置は、
営業担当者毎に受け持ち地域と取扱商品、役務に関する情報を保持する第１の記憶手段と、営業担当者の訪問先候補に関する情報を保持する第２の記憶手段とを備えており、
前記営業支援装置においては、
作成手段が、前記端末装置からの営業担当者の識別情報と現在位置とを含む検索要求に応じて、前記第１、第２の記憶手段の情報を参照し、当該営業担当者の受け持ち地域における、前記現在位置からの距離を考慮した訪問先候補の一覧リストを作成する作成工程と、
第１の提供手段が、前記一覧リストを前記検索要求の送信元の前記端末装置に提供する第１の提供工程と、
前記端末装置からの前記一覧リストに掲載された訪問先候補に関する情報の提供要求に応じて、取得手段が、当該訪問先候補に関する情報を取得する取得工程と、
第２の提供手段が、取得工程において取得した当該訪問先候補に関する情報を、前記提供要求の送信元の前記端末装置に提供する第２の提供工程と
を有し、
前記端末装置においては、
第１の形成手段が、自ユーザーの識別情報と自機の現在位置を含む検索要求を形成する第１の形成工程と、
第１の送信手段が、前記検索要求を前記営業支援装置に送信する第１の送信工程と、
前記検索要求に応じて、前記営業支援装置から提供される訪問先候補の前記一覧リストを、第１の受信手段が受信する第１の受信工程と、
第１の表示制御手段が、前記一覧リストを表示手段に表示するように制御する第１の表示制御工程と、
前記表示手段に表示された一覧リストの中から受付手段を通じて目的とする訪問先候補の選択入力を受け付ける受付工程と、
第２の形成手段が、選択された当該訪問先候補に関する情報の提供要求を形成する第２の形成工程と、
第２の送信手段が、前記提供要求を前記営業支援装置に送信する第２の送信工程と、
前記提供要求に応じて、前記営業支援装置から提供される当該訪問先候補に関する情報を、第２の受信手段を通じて受信する第２の受信工程と、
第２の表示制御手段が、当該訪問先候補に関する情報を表示手段に表示するように制御する第２の表示制御工程と
を有することを特徴とする営業支援方法。
【請求項６】
営業支援装置と営業担当者が使用する端末装置とがネットワークを通じて接続されて形成される営業支援システムの前記営業支援装置であって、
営業担当者毎に受け持ち地域と取扱商品、役務に関する情報を保持する第１の記憶手段と、
営業担当者の訪問先の候補に関する情報を保持する第２の記憶手段と、
前記端末装置からの営業担当者の識別情報と現在位置とを含む検索要求に応じて、前記第１、第２の記憶手段の情報を参照し、当該営業担当者の受け持ち地域における、前記現在位置からの距離を考慮した訪問先候補の一覧リストを作成する作成手段と、
前記一覧リストを前記検索要求の送信元の前記端末装置に提供する第１の提供手段と、
前記端末装置からの前記一覧リストに掲載された訪問先候補に関する情報の提供要求に応じて、当該訪問先候補に関する情報を取得する取得手段と、
取得手段が取得した当該訪問先候補に関する情報を前記提供要求の送信元の前記端末装置に提供する第２の提供手段と
を備えることを特徴とする営業支援装置。
【請求項７】
営業支援装置と営業担当者が使用する端末装置とがネットワークを通じて接続されて形成される営業支援システムの前記端末装置であって、
前記営業支援装置は、営業担当者毎に受け持ち地域と取扱商品、役務に関する情報を保持する第１の記憶手段と、営業担当者の訪問先候補に関する情報を保持する第２の記憶手段と、前記端末装置からの営業担当者の識別情報と現在位置とを含む検索要求に応じて、前記第１、第２の記憶手段の情報を参照し、当該営業担当者の受け持ち地域における、前記現在位置からの距離を考慮した訪問先候補の一覧リストを作成する作成手段と、前記一覧リストを前記検索要求の送信元の前記端末装置に提供する第１の提供手段と、前記端末装置からの前記一覧リストに掲載された訪問先候補に関する情報の提供要求に応じて、当該訪問先候補に関する情報を取得する取得手段と、取得手段が取得した当該訪問先候補に関する情報を前記提供要求の送信元の前記端末装置に提供する第２の提供手段とを備えるものであり、
自ユーザーの識別情報と自機の現在位置を含む検索要求を形成する第１の形成手段と、
前記検索要求を前記営業支援装置に送信する第１の送信手段と、
前記検索要求に応じて、前記営業支援装置から提供される訪問先候補の前記一覧リストを受信する第１の受信手段と、
前記一覧リストを表示手段に表示するように制御する第１の表示制御手段と、
前記表示手段に表示された一覧リストの中から目的とする訪問先候補を選択する選択手段と、
選択された当該訪問先候補に関する情報の提供要求を形成する第２の形成手段と、
前記提供要求を前記営業支援装置に送信する第２の送信手段と、
前記提供要求に応じて、前記営業支援装置から提供される当該訪問先候補に関する情報を受信する第２の受信手段と、
当該訪問先候補に関する情報を表示手段に表示するように制御する第２の表示制御手段と
を備えることを特徴とする端末装置。
【請求項８】
営業支援装置と営業担当者が使用する端末装置とがネットワークを通じて接続されて形成される営業支援システムの前記営業支援装置に搭載されたコンピュータが実行する営業支援プログラムであって、
当該営業支援装置は、営業担当者毎に受け持ち地域と取扱商品、役務に関する情報を保持する第１の記憶手段と、営業担当者の訪問先候補に関する情報を保持する第２の記憶手段とを備えており、
前記端末装置からの営業担当者の識別情報と現在位置とを含む検索要求に応じて、作成手段が、前記第１、第２の記憶手段の情報を参照し、当該営業担当者の受け持ち地域における、前記現在位置からの距離を考慮した訪問先候補の一覧リストを作成する作成ステップと、
第１の提供手段が、前記一覧リストを前記検索要求の送信元の前記端末装置に提供する第１の提供ステップと、
前記端末装置からの前記一覧リストに掲載された訪問先候補に関する情報の提供要求に応じて、取得手段が、当該訪問先候補に関する情報を取得する取得ステップと、
取得ステップにおいて取得した当該訪問先候補に関する情報を、第２の提供手段が前記提供要求の送信元の前記端末装置に提供する第２の提供ステップと
を実行することを特徴とする営業支援プログラム。
【請求項９】
営業支援装置と営業担当者が使用する端末装置とがネットワークを通じて接続されて形成される営業支援システムの前記端末装置に搭載されたコンピュータが実行する営業支援要求プログラムであって、
前記営業支援装置は、営業担当者毎に受け持ち地域と取扱商品、役務に関する情報を保持する第１の記憶手段と、営業担当者の訪問先候補に関する情報を保持する第２の記憶手段と、前記端末装置からの営業担当者の識別情報と現在位置とを含む検索要求に応じて、前記第１、第２の記憶手段の情報を参照し、当該営業担当者の受け持ち地域における、前記現在位置からの距離を考慮した訪問先候補の一覧リストを作成する作成手段と、前記一覧リストを前記検索要求の送信元の前記端末装置に提供する第１の提供手段と、前記端末装置からの前記一覧リストに掲載された訪問先候補に関する情報の提供要求に応じて、当該訪問先候補に関する情報を取得する取得手段と、取得手段が取得した当該訪問先候補に関する情報を前記提供要求の送信元の前記端末装置に提供する第２の提供手段とを備えるものであり、
第１の形成手段が、自ユーザーの識別情報と自機の現在位置を含む検索要求を形成する第１の形成ステップと、
第１の送信手段が、前記検索要求を前記営業支援装置に送信する第１の送信ステップと、
前記検索要求に応じて、前記営業支援装置から提供される訪問先候補の前記一覧リストを、第１の受信手段を通じて受信する第１の受信ステップと、
第１の表示制御手段が、前記一覧リストを表示手段に表示するように制御する第１の表示制御ステップと、
前記表示手段に表示された一覧リストの中から目的とする訪問先候補の選択入力を、受付手段を通じて受け付ける受付ステップと、
選択された当該訪問先候補に関する情報の提供要求を、第２の形成手段が形成する第２の形成ステップと、
第２の送信手段が、前記提供要求を前記営業支援装置に送信する第２の送信ステップと、
前記提供要求に応じて、前記営業支援装置から提供される当該訪問先候補に関する情報を、第２の受信手段を通じて受信する第２の受信工程と、
第２の表示制御手段が、当該訪問先候補に関する情報を表示手段に表示するように制御する第２の表示制御ステップと
を実行することを特徴とする営業支援要求プログラム。
【発明の詳細な説明】
【技術分野】
【０００１】
この発明は、いわゆるアポイントメントが無い場合でも、効率よく営業活動を行えるようにするためのシステム、方法、装置、プログラムに関する。
【背景技術】
【０００２】
特許文献１には、既存顧客に対して営業を行う場合に利用可能な営業支援システム等に関する発明が開示されている。具体的に特許文献１に記載の発明は、営業担当者が端末装置を通じて顧客情報を要求すると、サーバが、その営業担当者のいる位置に応じて顧客リストを作成し、営業担当者の端末装置に提供する。営業担当者の端末装置では、サーバからの顧客リストを表示する。営業担当者は、表示された顧客リストから訪問順を検討し、訪問先を決定すると、その訪問先に対する業務報告の作成準備ができる。また、営業担当者は、訪問時間や訪問の目的等をその都度入力することにより、自動的に顧客別の業務報告が生成でき、さらに、この日報の情報に基づいて、交通費清算書が作成できる。
【０００３】
特許文献１に記載の発明は、特許文献１の段落［００３９］等に記載されているように、既に取引関係にある顧客データベースに記憶保持されている情報に基づいて顧客リストを作成するものである。したがって、特許文献１に記載の発明は、既存の顧客に対して営業を行う場合において、営業担当者を支援する技術として有用なものであり、特に、営業活動における後処理である業務報告や交通費清算書の作成を自動化できる点に効果がある。
【０００４】
また、特許文献２には、新規顧客に対して営業を行う場合に利用可能な営業支援システムに関する発明が開示されている。具体的に特許文献１に記載の発明は、電話帳データベースから一定区域内の架電先リストを作成し、これに基づいて架電作業（実際に相手先に電話を掛けて潜在需要を探る処理）を行ない見込み顧客台帳を作成する。この見込み顧客台帳と地図データベースから見込み顧客リストと訪問先地図及び記憶媒体を出力し、営業担当者はこれらの情報に従って顧客を訪問し、商談を行う。このような内容を有する特許文献２に記載の発明は、新規顧客を発掘し、効率よく営業活動を行えるようにする技術として有用なものである。
【先行技術文献】
【特許文献】
【０００５】
【特許文献１】特開２００４−１９２２５５号公報
【特許文献２】特開２００３−０５８６９１号公報
【発明の概要】
【発明が解決しようとする課題】
【０００６】
ところで、実際の営業活動の場面では、予備知識の無い相手先にいわゆる飛込み営業を行わなければならないといったことが多々発生する。例えば、お得意様によったついでに付近の会社に飛び込み営業をする、あるいは、当日の訪問予定を全て消化したが、まだ時間が余っているために、現在地付近で飛び込み営業をするといったことはよくあることである。しかし、先の見通し無くむやみに営業活動を行っても成果を上げることは難しい。そこで、上述した特許文献１、２に開示された営業支援に関する発明を利用することが考えられる。
【０００７】
しかし、上述したように特許文献１に記載の発明は、既存の取引先に対する営業活動を支援するためのものである。また、上述したように特許文献２に記載の発明は、実際に電話を掛けて潜在需要を探るいわゆる架電作業を伴うものである。したがって、特許文献１、２に記載の発明は、既に外出先にいる営業担当者が、いわゆる飛込み営業を行う場合には利用できない。このため、アポイントメント（相手先との面談の約束）なく、いわゆる飛び込み営業活動を行う場合に営業担当者を支援するための使い勝手のよい営業支援ツールの提供が望まれている。
【０００８】
以上の点に鑑み、この発明は、アポイントメントなく、飛び込み営業（訪問営業）を行う場合に、営業担当者を適切に支援し、効率よく、しかも効果的に営業活動が行えるようにすることを目的とする。
【課題を解決するための手段】
【０００９】
上記課題を解決するため、請求項１に記載の発明の営業支援システムは、
営業支援装置と営業担当者が使用する端末装置とがネットワークを通じて接続されて形成される営業支援システムであって、
前記営業支援装置は、
営業担当者毎に受け持ち地域と取扱商品、役務に関する情報を保持する第１の記憶手段と、
営業担当者の訪問先候補に関する情報を保持する第２の記憶手段と、
前記端末装置からの営業担当者の識別情報と現在位置とを含む検索要求に応じて、前記第１、第２の記憶手段の情報を参照し、当該営業担当者の受け持ち地域における、前記現在位置からの距離を考慮した訪問先候補の一覧リストを作成する作成手段と、
前記一覧リストを前記検索要求の送信元の前記端末装置に提供する第１の提供手段と、
前記端末装置からの前記一覧リストに掲載された訪問先候補に関する情報の提供要求に応じて、当該訪問先候補に関する情報を取得する取得手段と、
取得手段が取得した当該訪問先候補に関する情報を前記提供要求の送信元の前記端末装置に提供する第２の提供手段と
を備え、
前記端末装置は、
自ユーザーの識別情報と自機の現在位置を含む検索要求を形成する第１の形成手段と、
前記検索要求を前記営業支援装置に送信する第１の送信手段と、
前記検索要求に応じて、前記営業支援装置から提供される訪問先候補の前記一覧リストを受信する第１の受信手段と、
前記一覧リストを表示手段に表示するように制御する第１の表示制御手段と、
前記表示手段に表示された一覧リストの中から目的とする訪問先候補の選択入力を受け付ける受付手段と、
選択された当該訪問先候補に関する情報の提供要求を形成する第２の形成手段と、
前記提供要求を前記営業支援装置に送信する第２の送信手段と、
前記提供要求に応じて、前記営業支援装置から提供される当該訪問先候補に関する情報を受信する第２の受信手段と、
当該訪問先候補に関する情報を表示手段に表示するように制御する第２の表示制御手段と
を備えることを特徴とする。
【００１０】
この請求項１に記載の発明の営業支援システムによれば、営業支援装置と営業担当者が使用する端末装置とを備える。営業支援装置は、第１の記憶手段により営業担当者毎に営業担当者の受け持ち地域（テリトリー）と取扱商品・役務に関する情報を、また、第２の記憶手段により、訪問先候補に関する情報を記憶保持する。そして、営業担当者の端末装置から当該営業担当者の識別情報と現在位置とを含む検索要求が送信されてくる。
【００１１】
この場合、作成手段が、第１、第２の記憶手段の情報を参照し、当該営業担当者の受け持ち地域における、当該担当者の現在位置からの距離を考慮した訪問先候補の一覧リストを作成する。当該一覧リストは、第１の提供手段が検索要求元の端末装置に提供する。さらに、営業担当者の端末装置から当該一覧リストに掲載された候補に関する情報の提供要求が送信されてくる。この場合、取得手段が当該候補に関する情報を取得する。そして、取得された当該候補に関する情報は、第２の提供手段が提供要求の送信元の端末装置に提供する。
【００１２】
一方、営業担当者の端末装置は、第１の形成手段が、自ユーザー（営業担当者）の識別情報と現在位置を含む訪問先の候補の検索要求を形成し、これを第１の送信手段が営業支援装置に送信する。この検索要求に応じて、営業支援装置から提供される訪問先候補の一覧リストを第１の受信手段が受信し、当該一覧リストが第１の表示制御手段の制御により表示手段に表示する。
【００１３】
そして、表示手段に表示された一覧リストから目的とする訪問先候補の選択入力を受付手段が受け付け、その選択された訪問先候補に関する情報の提供要求を第２の形成手段が形成し、これを第２の送信手段が営業支援装置に送信する。この提供要求に応じて、営業支援装置から提供される訪問先候補に関する情報を第２の受信手段が受信し、当該訪問先候補に関する情報が第２の表示制御手段の制御により表示手段に表示する。
【００１４】
このように、営業支援装置は端末装置からの要求に応じて、営業担当者の受け持ち地域における、当該営業担当者の現在位置からの距離を考慮した訪問先候補の一覧リストや訪問先候補に関する情報（詳細情報等）を提供することができる。これにより、端末装置を使用する営業担当者は、セールストークに有用な訪問先の候補に関する情報を事前に得て、営業活動を行うことができる。この場合、訪問先に対しては、アポイントメントが存在しなくても、効率よく、しかも効果的に営業活動を行える。
【発明の効果】
【００１５】
この発明によれば、アポイントメントなく訪問営業を行う場合に、営業担当者を適切に支援できる。したがって、訪問先に対してアポイントメントが存在しなくても、効率よく、しかも効果的に営業活動が行える。
【図面の簡単な説明】
【００１６】
【図１】実施の形態の営業支援システムの概要と、当該営業支援システムを構成する営業支援装置１、ユーザー端末装置３の概略構成を説明するための図である。
【図２】記憶装置１０３に形成される営業担当者ＤＢの格納データの例について説明するための図である。
【図３】記憶装置１０３に形成される会社別既存取引先ＤＢの格納データの例について説明するための図である。
【図４】企業ＤＢ１０４の格納データの例を説明するための図である。
【図５】店舗ＤＢ１０５の格納データの例を説明するための図である。
【図６】世帯ＤＢ１０６の格納データの例を説明するための図である。
【図７】ユーザー端末装置３において実行される当該営業支援処理について説明するためのフローチャートである。
【図８】図７に続くフローチャートである。
【図９】アポ無し訪問用営業ツール用の入力画面の例を説明するための図である。
【図１０】訪問先候補の検索要求のレイアウトの例を説明するための図である。
【図１１】訪問先候補の一覧リストや訪問先候補の詳細情報の表示例を説明するための図である。
【図１２】訪問先候補の一覧リストや訪問先候補の詳細情報の表示例を説明するための図である。
【図１３】訪問先候補の一覧リストや訪問先候補の詳細情報の表示例を説明するための図である。
【図１４】営業支援装置１で実行される営業支援処理について説明するためのフローチャートである。
【発明を実施するための形態】
【００１７】
以下、図を参照しながら、この発明のシステム、装置、方法、プログラムの一実施の形態について説明する。
【００１８】
［営業支援システムの構成例］
図１は、この実施の形態の営業支援システムの概要と、当該営業支援システムを構成する営業支援装置１、ユーザー端末装置３の概略構成を説明するための図である。まず、この実施の形態の営業支援システムの概要について説明する。図１に示すように、この実施の形態の営業支援システムは、営業支援装置１とユーザー端末装置３とがネットワーク２を通じて接続されて構成されている。
【００１９】
営業支援装置１は、１つのサーバ装置により構成することもできるし、ネットワーク２上の複数の装置に、データ処理機能やデータ記憶機能等を分散させるようにした複数の処理装置からなるクラウドシステムとして構成することもできる。この実施の形態においては、営業支援装置１はクラウドシステムとして構築されているものとする。ネットワーク２は、主にインターネットであるが、各通信機器からインターネットまでを接続する、例えば、携帯電話網、固定電話網、その他、種々のＬＡＮ（Local Area Network）等を含む。
【００２０】
ユーザー端末装置３としては、通信機能を備えた種々の端末装置により実現されるものである。この実施の形態のユーザー端末装置３は、営業担当者によって持ち運ばれて利用されるものである。このため、ユーザー端末装置３は、スマートフォンと呼ばれる高機能携帯電話端末やタブレットＰＣ（ＰＣはPersonal Computerの略称）などの通信機能を備えた携帯端末装置である。
【００２１】
また、図１に示すように、ネットワーク２には、例えば、情報提供サイト４やＳＮＳ（Social Networking Service）５が示すように、種々の情報提供サイトや種々のＳＮＳが設けられている。ネットワーク２に設けられている情報提供サイトとしては、国勢調査に関する調査データや経済センサスに関する調査データを提供するサイト、企業や店舗のホームページ、ハローページ、口コミサイト、個人のブログ等、種々のものが存在する。また、ネットワーク２に設けられているＳＮＳとしては、Ｆａｃｅｂｏｏｋ,Ｉｎｃ.が運営する「Ｆａｃｅｂｏｏｋ（登録商標）」や株式会社ミクシィが運営する「ｍｉｘｉ（登録商標）」など、大小さまざまなものがある。
【００２２】
そして、営業支援装置１は、各会社の営業担当者の情報を保持すると共に、ネットワーク２を通じて種々の情報提供サイトや種々のＳＮＳ等から収集した訪問先候補となる企業、店舗、個人の情報を保持する。日本でもＳＮＳやブログなどでは、実名が使われるようになってきており、企業情報や店舗情報はＳＮＳやホームページ、ハローページ、口コミサイト等でも実名である。
【００２３】
また、個人のＳＮＳやブログなどでは子供や家族、趣味に関して記述することが多い。企業ＳＮＳの場合には、その企業の発信した情報の内容がわかるし、企業のホームページでは、年商、取扱商品・役務、主要取引先、創業年、連絡方法等の種々の情報が掲載されている。また、店舗情報としては口コミサイトの情報などで店舗内の様子や繁盛ぶりが分かる。また、店舗情報として店舗のホームページや紹介サイトの情報により、営業曜日、営業時間帯が分かる。
【００２４】
このように、ネットワーク２上に公開されている種々の情報の中には、実名で情報発信がなされている信憑性の高い情報が多くなってきており、このような情報を営業支援装置１が収集して保持する。そして、営業担当者のユーザー端末装置３からの検索要求や情報の提供要求に応じて、営業支援装置１は、収集して保持している情報に基づいて訪問先候補の一覧リストや個々の訪問先候補に関する情報を提供する。ユーザー端末装置３は、営業支援装置１からの情報をユーザーである営業担当者に提供する。これにより、営業担当者は、アポイントメント無しでも訪問可能な相手先を的確に特定し、その相手先に関する詳細情報からセールストークに利用可能な情報を得て、いわゆる飛び込み営業を、効率よく、しかも効果的に行えるようにしている。
【００２５】
なお、図１において、ユーザー端末装置３は１つしか示していない。しかし、実際には、種々の会社の多数の営業担当者（営業マン）が利用する多数のユーザー端末装置３が、ネットワーク２を通じて営業支援装置１と接続され、大規模な営業支援システムが構築される。
【００２６】
［営業支援装置１の構成例］
次に、この実施の形態の営業支援装置１の構成例について具体的に説明する。この実施の形態の営業支援装置１は、図１の上端側のブロック図に示した概略構成を有する。図１に示した営業支援装置１において、通信インターフェース（以下、通信Ｉ／Ｆと記載する。）１０１は、ネットワーク２を通じて受信した信号を自機（営業支援装置１）が処理可能なデータに変換して取り込んだり、送信用の種々のデータをプロトコルに準拠した信号に変換して自機からネットワーク２に送出したりする。
【００２７】
制御部１０２は、営業支援装置１の各部を制御するものであり、図示しないが、ＣＰＵ、ＲＯＭ、ＲＡＭがＣＰＵバスを通じて接続されて構成されたコンピュータ装置である。また、制御部１０２は、種々のアプリケーションプログラムの実行部としても機能する。記憶装置１０３は、記録媒体としてハードディスクを備え、種々のアプリケーションプログラムや処理に必要なデータ、また、種々の処理により得られたデータ等の不揮発性メモリへの書込み／記録保持／読み出し／削除を行う。
【００２８】
また、この実施の形態の営業支援装置１において、記憶装置１０３には、営業支援装置１を利用可能な営業担当者についての情報を管理する営業担当者ＤＢや当該営業担当者が属する会社の取引先に関する情報を管理する会社別既存取引先ＤＢも形成されている。なお、この明細書において、「ＤＢ」との文言は、「データベース」の略称として用いている。図２は、記憶装置１０３に形成される営業担当者ＤＢの格納データの例について説明するための図である。図２に示すように、営業担当者ＤＢには、各会社の営業担当者毎に、担当者ＩＤ、パスワード、名前、所属、テリトリー、営業先種別、取扱商品・役務、ターゲット、その他の各情報が格納される。
【００２９】
図２において、テリトリーは、当該営業担当者が担当している受け持ち地区（地域）を示す情報である。テリトリーは、例えば、地方、都道府県、市区町村、さらには、市区町村内を複数区域に分けた場合の丁目や番地等を基準としてその受け持ち範囲を示す。営業先種別は、営業の相手先が、企業なのか、店舗なのか、個人なのかを示す情報である。もちろん、営業先種別として、企業と店舗を含んだり、店舗と個人とを含んだり、企業と個人とを含んだり、企業と店舗と個人との全てを含んだりする場合もある。
【００３０】
また、取扱商品・役務は、当該営業担当者が取り扱っている商品や役務の分類（カテゴリー）を意味する。そして、ターゲットは、企業であれば、どの分類の企業が営業先となるかを示す情報であり、具体的には、金属加工業、精密機器製造、ソフトウェア開発などといった企業全体の中のどの分類かを示す情報となる。なお、その他の欄には、例えば、ターゲットとする企業等の年商や従業員数といった種々の情報が必要に応じて格納される。
【００３１】
そして、図２に示した例の場合、担当者ＩＤが「００００１０００１」、パスワードが「ＸＸＸＸＸＸＸＸ」で特定される営業担当者は、名前が「○○○○」で、所属が「ＸＸＸＸ（株）」で、テリトリーは「東京都港区」であることが登録されている。更に、当該営業担当者は、営業先種別が「企業」で、取扱商品・役務が「事務機器」で、ターゲットが「企業全般」であることが登録されている。
【００３２】
同様に、担当者ＩＤが「００１２３０００１」、パスワードが「ＹＹＹ…」で特定される営業担当者は、名前が「□□□□」で、所属が「（株）ＹＹ」で、テリトリーは「東京都新宿区と渋谷区」であることが登録されている。更に、当該営業担当者は、営業先種別が「店舗」で、取扱商品・役務が「店舗用玄関マット」で、ターゲットが「店舗全般」であることが登録されている。
【００３３】
同様に、担当者ＩＤが「００２１２０００１」、パスワードが「ＺＺＺＺ…」で特定される営業担当者は、名前が「△△△△」で、所属が「（有）ＺＺＺＺ」で、テリトリーは「東京都品川区」であることが登録されている。更に、当該営業担当者は、営業先種別が「個人」で、取扱商品・役務が「小中学生用学習教材」で、ターゲットが「小中学生のいる家庭」であることが登録されている。このような営業担当者ＤＢの格納データにより、各会社の各営業担当者のそれぞれは、どこがテリトリー（担当地区）で、どのような商品・役務を販売しており、どのような相手先がターゲット（顧客とすべき相手）となるかが把握できる。
【００３４】
また、図３は、記憶装置１０３に形成される会社別既存取引先ＤＢの格納データの例について説明するための図である。図３に示すように、会社別既存取引先ＤＢには、この実施の形態の営業支援装置１を利用する会社毎に、会社ＩＤ、取引先、取引開始年月日、担当者の各情報が格納される。この会社別既存取引先ＤＢの格納データにより、既に取引関係にある相手先を、アポイントメント無しで飛び込み営業を行う場合の訪問先候補としないようにチェックできる。
【００３５】
そして、図３に示した会社別既存取引先ＤＢでは、会社ＩＤが「００００１」で特定される会社は、取引先ＩＤが「０１１１０」である「株式会社△△△△」と「２００１年４月１０日」から取引関係があることが登録されている。そして、現在の担当者は担当者ＩＤが「００００１０００２」である担当であることも登録されている。同様に、会社ＩＤが「００１２３」で特定される会社は、取引先ＩＤが「００５６２」である「美容室○○」と「２００８年６月１１日」から取引関係があることが登録されている。そして、現在の担当者は担当者ＩＤが「００１２３００１１」である担当であることも登録されている。なお、図３には示さなかったが取引先が個人である場合もある。
【００３６】
そして、この実施の形態の営業支援装置１は、営業担当者の営業活動を支援するための情報を提供するために企業ＤＢ１０４、店舗ＤＢ１０５、世帯ＤＢ１０６、地図ＤＢ１０７を備える。企業ＤＢ１０４は、ハードディスクなどの大容量記録媒体に作成され、この実施の形態の営業支援装置１によって収集される訪問先候補となる企業に関する情報を記憶保持する。図４は、企業ＤＢ１０４の格納データの例を説明するための図である。企業ＤＢ１０４には、図４に示すように、訪問先候補となる企業毎に、企業ＩＤ、企業名、所在地、資本金、年商、従業員数、創業年、営業内容、取扱商品・役務、主要取引先、連絡方法、ネット情報の各情報が格納される。
【００３７】
そして、図４の例では、企業ＩＤが「０１００１」で特定される「株式会社ＸＸＸ」に関する情報の登録例が示されている。当該企業は、「東京都港区…」に現住所があり、資本金が「１億円」、年商が「１００億円」、従業員数が「９８名」で創業年が「１９９１年」の企業（会社）であることが登録されている。さらに、当該企業は、営業内容が「スチール製品の製造」であり、取扱商品・役務が「机、椅子、棚、…」であり、主要取引先が「○○（株）…」であることが登録されている。そして、連絡方法としては「電話番号」が存在し、ネット情報としては、「ホームページのＵＲＬや口コミ情報等」が登録されている。このような多数の企業についての情報が、営業支援装置１によりネットワーク２を通じて収集され、企業ＤＢ１０４に登録されて管理されている。
【００３８】
店舗ＤＢ１０５は、ハードディスクなどの大容量記録媒体に作成され、この実施の形態の営業支援装置１によって収集される訪問先候補となる店舗に関する情報を記憶保持する。図５は、店舗ＤＢ１０５の格納データの例を説明するための図である。店舗ＤＢ１０５には、図５に示すように、訪問先候補となる店舗毎に、店舗ＩＤ、店舗名、所在地、資本金、年商、従業員数、創業年、営業内容、定休日、営業時間、連絡方法、ネット情報の各情報が格納される。
【００３９】
そして、図５の例では、店舗ＩＤが「０３０１２」で特定される「△□飯店」に関する情報の登録例が示されている。当該店舗は、「東京都新宿区…」に現住所があり、資本金に付いての情報はないが、年商が「５千万円」、従業員数が「４名」で創業年が「１９８５年」の店舗であることが登録されている。さらに、当該店舗は、営業内容が「中華料理の提供」であり、定休日が「日曜日」、営業時間は、「午前１１時〜午後２時まで」と「午後５時〜午後１１時まで」であることが登録されている。そして、連絡方法としては「電話番号」が存在し、ネット情報としては、「ホームページのＵＲＬや口コミ情報等」が登録されている。このような多数の店舗についての情報が、営業支援装置１によりネットワーク２を通じて収集され、店舗ＤＢ１０５に登録されて管理されている。
【００４０】
世帯ＤＢ１０６は、ハードディスクなどの大容量記録媒体に作成され、この実施の形態の営業支援装置１によって収集される訪問先候補となる世帯（個人宅）に関する情報を記憶保持する。図６は、世帯（個人宅）ＤＢ１０６の格納データの例を説明するための図である。世帯（個人宅）ＤＢ１０６には、図６に示すように、訪問先候補となる世帯毎に、世帯ＩＤ、世帯主名、世帯主の性別、出生年月、住所、ネット情報が登録される。さらに、当該世帯に帰属する世帯員が存在する場合には、各世帯員の名前、続柄、性別、出生年月、教育／就業の状態、ネット情報が登録される。世帯員が複数存在する場合には、その複数の世帯員に関する情報が登録される。
【００４１】
そして、図６の例では、世帯ＩＤが「９９９９９９」で特定される世帯は、世帯主に関する情報として、名前が「□□太郎」、性別が「男性」、出生年月が「１９７２年８月」、住所が「東京都品川区…」であることが登録されている。なお、世帯主に関するネット情報は特に登録されていない。そして、当該世帯の世帯員に関する情報として、「□□花子：妻」、「□□一郎：子」、「□□○子：子」の３名の世帯員に関する情報が登録されている。なお、ネット情報は、世帯主や世帯員が利用しているＳＮＳやブログについての情報や電子メールアドレスなどの情報である。このような内容の各世帯の情報が、営業支援装置１によりネットワーク２を通じて収集され、世帯（個人宅）ＤＢ１０６に登録されて管理されている。
【００４２】
地図ＤＢ１０７は、ハードディスクなどの大容量記録媒体に作成され、１軒１軒の住宅やビルディングをはじめ、種々の建物、ランドマーク、施設、行政区域、道路等の位置や大きさなどを正確に表すことができるものである。そして、地図ＤＢ１０７は、地図を描画するための例えばベクトルデータやラスタデータ等の地図データ（地図用の描画データ）を緯度・経度情報に対応付けて記憶保持している。また、地図ＤＢ１０７は、地図上に表示する注記データについても、緯度・経度情報に対応付けて記憶保持している。
【００４３】
そして、クローリング処理部１０８は、例えば、地図ＤＢ１０７の情報に基づいて、所定の地域毎に、当該地域にある企業、店舗、世帯に関する情報を、ネットワーク２を通じて収集し、これを企業ＤＢ１０４、店舗ＤＢ１０５、世帯ＤＢ１０６に更新する。この場合の情報の収集先は、情報提供サイト４やＳＮＳ５など、ネットワーク２上に存在する種々のサイトやＳＮＳ等である。
【００４４】
また、要求抽出部１０９は、通信Ｉ／Ｆ１０１を通じて受信される種々の情報の中から、この営業支援装置１を利用可能な営業担当者のユーザー端末装置３からの訪問先候補の検索要求や訪問先候補に関する情報の提供要求を抽出する。一覧リスト作成部１１０は、要求抽出部１０９によって、ユーザー端末装置３からの訪問先候補の検索要求が抽出された場合に、要求元の営業担当者に応じた訪問先候補の一覧リストを生成する。当該検索要求には、詳しくは後述もするが、営業担当者ＩＤや当該営業担当者の現在位置（ユーザー端末装置３の現在位置）が含められている。
【００４５】
このため、一覧リスト作成部１１０は、記憶装置１０３の営業担当者ＤＢや会社別既存取引先ＤＢの情報をも考慮し、企業ＤＢ１０４、店舗ＤＢ１０５、世帯ＤＢ１０６の中から必要なデータベースを用いて、訪問先候補の一覧リストを作成する。一覧リスト作成部１１０が作成した一覧リストは、通信Ｉ／Ｆ１０１を通じて要求元のユーザー端末装置３に送信される。
【００４６】
個別情報取得部１１１は、要求抽出部１０９によって、一覧リスト作成部１１０が作成した訪問先候補の一覧リストの提供先のユーザー端末装置３からの訪問先候補に関する情報の提供要求が抽出された場合に、要求に応じた訪問先候補に関する情報を取得する。当該訪問先候補に関する情報は、詳しくは後述もするが、ユーザー端末装置３を通じて訪問先候補の一覧リストから選択された訪問先候補までの経路を示す地図情報や当該選択された訪問先候補の詳細情報である。なお、訪問先候補までの経路を示す地図情報は、地図ＤＢ１０７から、また、訪問先候補の詳細情報は、主には、企業ＤＢ１０４、店舗ＤＢ１０５、世帯ＤＢ１０６から取得される。そして、個別情報取得部１１１によって取得された訪問先候補に関する情報は、通信Ｉ／Ｆ１０１を通じて要求元のユーザー端末装置３に送信される。
【００４７】
このように、この実施の形態の営業支援装置１は、営業担当者毎に、テリトリーや取扱商品、役務に関する情報を保持する。また、営業支援装置１は、営業活動における訪問先候補となり得る企業、店舗、世帯（個人）に関する情報を、ネットワーク２を通じて、種々の情報提供サイトや種々のＳＮＳ等から収集して保持する。そして、営業支援装置１は、営業担当者のユーザー端末装置３からの検索要求に応じて、当該営業担当者のテリトリーに属し、当該営業担当者の現在位置をも考慮した訪問先候補の一覧リストを作成して、当該ユーザー端末装置３提供する。また、営業支援装置１は、営業担当者のユーザー端末装置３からの提供要求に応じて、当該一覧リストに掲載された訪問先候補の詳細情報を取得して提供する。
【００４８】
このように、この実施の形態の営業支援装置１は、営業担当者がアポイントメントなしても営業のための訪問活動を、効率よく、効果的に行うための情報を収集し、これを営業担当者に対して提供する機能を実現する。
【００４９】
［ユーザー端末装置３の構成例］
次に、この実施の形態のユーザー端末装置３の構成例について具体的に説明する。この実施の形態のユーザー端末装置３は、図１の下端側のブロック図に示した概略構成を有する。図１に示したユーザー端末装置３において、無線通信部３０１は、ネットワーク２を通じて受信した信号を自機（ユーザー端末装置３）が処理可能なデータに変換して取り込んだり、送信用の種々のデータをプロトコルに準拠した信号に変換して自機からネットワーク２に送出したりする。無線通信部３０１には、送受信アンテナ３０１Ａが接続されている。
【００５０】
制御部３０２は、ユーザー端末装置３の各部を制御するものであり、図示しないが、ＣＰＵ、ＲＯＭ、ＲＡＭがＣＰＵバスを通じて接続されて構成されたコンピュータ装置である。また、制御部３０２は、種々のアプリケーションプログラムの実行部としても機能するものである。記憶装置３０３は、記録媒体として不揮発性メモリを備え、種々のアプリケーションプログラムや処理に必要なデータ、また、種々の処理により得られたデータ等の不揮発性メモリへの書込み／記録保持／読み出し／削除を行う。
【００５１】
操作部３０４は、ユーザー端末装置３に設けられたハードウェアキーからなり、ユーザーからの操作入力を受け付けて、受け付けた情報を制御部３０２に供給する。操作部３０４に設けられたハードウェアキーは例えば電源のオン／オフキーや基本機能を実行するための幾つかのファンクションキー等である。
【００５２】
ＧＰＳ部３０５およびＧＰＳアンテナ３０５Ａは、自機の現在位置を測位する。表示部３０６は、種々の画像データや映像データの供給を受けて、これを映像信号に変換し、当該映像信号に応じた画像や映像を自己の表示画面に表示する。また、表示部３０６の表示画面に貼付されたタッチパネル３０７は、表示画面に表示される情報と共に、いわゆるソフトウェアキーを構成する。したがって、制御部３０２は、タッチパネル３０７からのユーザーの指示位置を示す情報と当該指示位置に対応する表示部３０６の表示画面上に表示された情報とに基づいて、ユーザーからの指示入力が認識できるようになっている。
【００５３】
カメラ部３０８は、撮像レンズ、撮像素子、カメラ信号処理回路などを備え、被写体の画像（映像）を撮影し、これをデジタル信号の画像（映像）データとして取り込み、例えば、記憶装置３０３の所定の記録エリアに記録する機能を実現する。この実施の形態のユーザー端末装置３において、カメラ部３０８は、表示部３０６の表示画面とは反対側の面に設けられている。そして、ユーザー端末装置３においては、カメラ部３０８を通じて捉えた画像を表示部３０６に表示できる。このため、ユーザーは、カメラ部３０８が捉えている画像を、表示部３０６を通じて確認しながら撮影を行える。
【００５４】
マイクロホン３０９はユーザーからの音声を収音し、電気信号に変換して、これを音声入力部３１０に供給する。音声入力部３１０は、マイクロホン３０９からの音声信号を音声データ（デジタル信号）に変換し、これを制御部３０２に供給する。これにより、ユーザーは、ユーザー端末装置３に対して、音声によっても指示入力ができる。
【００５５】
要求形成部３１１は、タッチパネル３０７を通じて受け付けたユーザーからの操作入力に応じて、訪問先候補の検索要求や訪問先候補に関する情報の提供要求を形成する。要求形成部３１１で形成された要求は、無線通信部３０１および送受信アンテナ３０１Ａを通じてネットワーク２に送出され、営業支援装置１に送信される。
【００５６】
連絡実行部３１２は、訪問先候補の詳細情報として提供される訪問先候補の電話番号、電子メールアドレス、ホームページやブログのＵＲＬ、その他のネットに関する情報を利用し、ネットワーク２を通じて目的とする訪問先候補に対して連絡する処理を行う。具体的に、連絡実行部３１２は、訪問先候補の電話番号を用いて電話を掛けたり、訪問先候補の電子メールアドレスを用いて電子メールを作成して送信したりする。
【００５７】
また、連絡実行部３１２は、訪問先候補のホームページやブログのＵＲＬを用いて、当該ホームページやブログにアクセスし、当該ホームページやブログに搭載されたコメント送信機能を用いてコメントを送信できるようにする。また、連絡実行部３１２は、訪問先候補が利用しているＳＮＳに関する情報に基づいて、当該ＳＮＳにログインし、当該訪問先候補にメッセージを送信したり、挨拶を送信したりするなどの処理を行えるようにする。
【００５８】
このように、この実施の形態のユーザー端末装置３は、営業担当者により利用され、営業支援装置１に対して、訪問先候補の検索要求や訪問先候補に関する情報の提供要求を送信する。そして、ユーザー端末装置３は、当該検索要求や提供要求に応じて、営業支援装置１から提供される訪問先候補の一覧リストや訪問先候補に関する情報の提供を受け、これらを当該営業担当者に提供し、当該営業担当者の営業活動を支援する機能を実現する。
【００５９】
なお、営業支援装置１からの訪問先候補の一覧リストには載っていないが、実際に、営業担当者の近傍に存在している企業、店舗、世帯（個人宅）が存在しているとする。この場合には、それらの表札や看板、ネームプレートをカメラ部３０８で撮影し、それらの名称等を得て、営業支援装置１に問合せを行うこともできる。もちろん、マイクロホン３０９および音声入力部３１０を通じて音声入力により、企業、店舗、世帯（個人宅）の名称等を入力して問合せを行うこともできる。また、表示部３０６とタッチパネル３０７とにより実現されるソフトウェアキーボードを通じて企業、店舗、世帯（個人宅）の名称等を入力して問合せを行うこともできる。また、これらの場合の問合せ先は、営業支援装置１に限るものではなく、ネットワーク２上の情報提供サイトに問合せを行うこともできる。
【００６０】
［営業支援システムを構成する機器の処理］
次に、この実施の形態の営業支援システムを構成するユーザー端末装置３および営業支援装置１のそれぞれにおいて行われる処理について具体的に説明する。まず、ユーザー端末装置３において、アポ無し訪問用営業ツールが利用するようにされた場合に実行される営業支援処理について説明する。図７、図８は、ユーザー端末装置３において実行される当該営業支援処理について説明するためのフローチャートである。この図７、図８に示す処理は、営業活動中の外出先において、ユーザー端末装置３が有する所定のメニューからアポ無し訪問用営業ツールを利用するための項目が選択された場合に、制御部３０２において実行される。
【００６１】
まず、制御部３０２は、記憶装置３０３に記憶保持している営業支援装置１のＵＲＬを用いて、営業支援装置１にアクセスし、入力画面情報等の必要な情報の提供を受ける（ステップＳ１０１）。そして、制御部３０２は、営業支援装置１からの入力画面情報を用いて、表示部３０６を制御し、アポ無し訪問用営業ツール用の入力画面を表示部３０６に表示する（ステップＳ１０２）。
【００６２】
図９は、ステップＳ１０２で表示部３０６に表示されるアポ無し訪問用営業ツール用の入力画面の例を説明するための図である。ステップＳ１０２で表示されるアポ無し訪問用営業ツール用の入力画面は、図９に示すように、営業担当者ＩＤ、パスワード、現在位置の各入力欄を備えている。さらに、当該アポ無し訪問用営業ツール用の入力画面は、ソフトウェアキーボードを有すると共に、「ＯＫ」ボタン、「終了」ボタンを有している。
【００６３】
そして、ユーザー端末装置３の制御部３０２は、当該アポ無し訪問用営業ツール用の入力画面に対する入力を受け付ける（ステップＳ１０３）。当該入力画面の営業担当者ＩＤおよびパスワードの入力欄ついては、当該入力画面のソフトウェアキーボードを通じて情報の入力が受け付けられる。また、現在位置については、ユーザー端末装置３のＧＰＳ部３０５を通じて取得した当該ユーザー端末装置３の現在位置が自動的に入力される。さらに、「ＯＫ」ボタンや「終了」ボタンに対する操作も受け付けられる。
【００６４】
そして、制御部３０２は、当該アポ無し訪問用営業ツール用の入力画面に対して、必要情報が全て入力された後、「ＯＫ」ボタンが操作されたか否かを判別する（ステップＳ１０４）。ステップＳ１０４の判別処理において、必要情報が全て入力された後、「ＯＫ」ボタンが操作されていないと判別したときには、「終了」ボタンが操作されたか否かを判別する（ステップＳ１０５）。
【００６５】
ステップ１０５の判別処理において、「終了」ボタンが操作されたと判別したときには、制御部３０２は、表示部３０６の表示を、図９に示したアポ無し訪問用営業ツール用の入力画面の表示前の状態に戻すなどの所定の終了処理を行う（ステップＳ１０６）。そして、この後、この図７、図８に示す処理を終了する。また、ステップＳ１０５の判別処理において、「終了」ボタンは操作されていないと判別したときには、制御部３０２は、ステップＳ１０３からの処理を繰り返し、当該アポ無し訪問用営業ツール用の入力画面に対する入力の受け付けを続行する。
【００６６】
そして、ステップＳ１０４の判別処理において、必要情報が全て入力された後、「ＯＫ」ボタンが操作されたと判別したときには、制御部３０２は、訪問先候補の検索要求を生成し、これを営業支援装置１に送信する（ステップＳ１０７）。図１０は、ステップＳ１０７で生成される訪問先候補の検索要求のレイアウトの例を説明するための図である。当該検索要求は、図１０に示すように、要求種別、営業担当者ＩＤ、パスワード、現在位置からなるもののである。これにより、営業支援装置１では、当該要求が、訪問先候補検索要求であり、何処に位置する、どの営業担当者のユーザー端末装置３から送信されたものかを特定することができる。
【００６７】
そして、営業支援装置１では、当該訪問先候補の検索要求に応じて、訪問先候補の一覧リストを作成して送信してくる。この訪問先候補の一覧リストは、営業支援装置１において、要求元の営業担当者のテリトリーや現在位置からの距離をも考慮し、企業ＤＢ１０４、店舗ＤＢ１０５、世帯ＤＢ１０６、地図ＤＢ１０７の情報に基づいて作成されるものである。
【００６８】
なお、現在位置からの距離を考慮するとは、例えば、現在位置から半径１ｋｍの範囲などのように、すぐに訪問可能な範囲内で訪問先候補を検索することを意味する。このため、ユーザー端末装置３の現在位置が、当該ユーザー端末装置３を利用する営業担当者のテリトリー内に位置していない場合などにおいては、自己のテリトリー内に移動する指示が、営業支援装置１から提供される。
【００６９】
そして、営業支援装置１から訪問先候補の一覧リストが送信されたとする。この場合、ユーザー端末装置３では、当該訪問先候補の一覧リストを、制御部３０２が無線通信部３０１を通じて受信し（ステップＳ１０８）、これを表示部３０６に表示する（ステップＳ１０９）。
【００７０】
図１１〜図１３は、訪問先候補の一覧リストや訪問先候補の詳細情報の表示例を説明するための図である。例えば、ユーザー端末装置３の営業担当者が、営業担当者ＤＢ（図２）に登録された営業担当者ＩＤが「００００１０００１」であり、テリトリーが例えば「東京都港区」で、営業先種別が「企業」で、ターゲットが「企業全般」であったとする。この場合には、図１１Ａに示すように、テリトリーと現在位置からの距離をも考慮した、訪問先候補となる企業についての一覧リストが、営業支援装置１で作成され、ユーザー端末装置３に提供されて表示される。
【００７１】
この図１１Ａに示した一覧リストの場合には、企業毎に、ユーザー端末装置３の現在位置からの距離、企業名、営業内容が示されると共に、「地図」ボタンと「詳細」ボタンとが設けられている。ここで、「地図」ボタンは、企業に関する情報として、地図上の位置の提供を受ける場合に操作されるものであり、「詳細」ボタンは、企業に関する情報として、企業の詳細情報の提供を受ける場合に操作されるものである。
【００７２】
また、ユーザー端末装置３の営業担当者が、営業担当者ＤＢ（図２）に登録された営業担当者ＩＤが「００１２３０００１」であり、テリトリーが例えば「東京都新宿区、渋谷区」で、営業先種別が「店舗」で、ターゲットが「店舗全般」であったとする。この場合には、図１２Ａに示すように、テリトリーと現在位置からの距離をも考慮した、訪問先候補となる店舗についての一覧リストが、営業支援装置１で作成され、ユーザー端末装置３に提供されて表示される。この図１２Ａに示した一覧リストの場合には、店舗毎に、ユーザー端末装置３の現在位置からの距離、店舗名、営業内容が示されると共に、「地図」ボタンと「詳細」ボタンとが設けられている。これらの操作ボタンの機能は、図１１Ａの場合と同様であり、店舗に関する地図や詳細情報の提供を受けたい場合に操作される。
【００７３】
また、ユーザー端末装置３の営業担当者が、営業担当者ＤＢ（図２）に登録された営業担当者ＩＤが「００２１２０００１」であり、テリトリーが例えば「東京都品川区」で、営業先種別が「個人」で、ターゲットが「小中学生のいる家庭」であったとする。この場合には、図１３Ａに示すように、テリトリーと現在位置からの距離をも考慮した、訪問先候補となる世帯（個人宅）についての一覧リストが、営業支援装置１で作成され、ユーザー端末装置３に提供されて表示される。この図１３Ａに示した一覧リストの場合には、世帯毎に、ユーザー端末装置３の現在位置からの距離、世帯主名、ターゲットに応じた情報が示されると共に、「地図」ボタンと「詳細」ボタンとが設けられている。これらの操作ボタンの機能は、図１１Ａの場合と同様であり、世帯に関する地図や詳細情報の提供を受けたい場合に操作される。
【００７４】
そして、ステップＳ１０９において、図１１Ａ、図１２Ａ、図１３Ａを用いて説明した訪問先候補の一覧リストが表示された後、制御部３０２は、当該一覧リストに対する操作入力を受け付ける（ステップＳ１１０）。次に、制御部３０２は、ステップＳ１１０において、「地図」ボタンが操作されたか否かを判別する（ステップＳ１１１）。
【００７５】
ステップＳ１１１の判別処理において、「地図」ボタンが操作されたと判別したとする。この場合、制御部３０２は、要求種別が「訪問先候補についての地図の提供要求」であり、訪問先候補を特定する情報として、「企業ＩＤ、店舗ＩＤ、世帯ＩＤ」などの情報が付加された地図の提供要求を生成し、これを営業支援装置１に送信する（ステップＳ１１２）。なお、企業ＩＤ、店舗ＩＤ、世帯ＩＤ等の情報は、図１１Ａ、図１２Ａ、図１３Ａを用いて説明した訪問先候補の一覧リストと共に、営業支援装置１から提供されており、制御部３０２は、操作された「地図」ボタンに対応する企業ＩＤ、店舗ＩＤ、世帯ＩＤを特定できる。
【００７６】
そして、制御部３０２は、当該地図の提供要求に応じて、営業支援装置１から提供される地図情報を受信し、当該地図情報に応じた地図を表示部３０６に表示する（ステップＳ１１３）。表示部３０６に表示される地図は、図示しないが、当該ユーザー端末装置３の現在位置から操作された「地図」ボタンに対応する訪問先候補（企業、店舗、世帯（個人宅））までの道順を示した地図情報である。そして、表示部３０６には、地図情報と共に、「戻る」ボタンが表示されており、制御部３０２は、当該「戻る」ボタンが操作されるまで、当該地図の表示を継続させる（ステップＳ１１４）。そして、ステップＳ１１４の判別処理で、「戻る」ボタンが操作されたと判別したときには、制御部３０２は、ステップＳ１０９からの処理を繰り返し、訪問先候補の一覧リスト（図１１Ａ、図１２Ａ、図１３Ａ）の表示に戻る。
【００７７】
また、ステップＳ１１１の判別処理において、「地図」ボタンは操作されていないと判別したときには、制御部３０２は、ステップＳ１１０において、「詳細」ボタンが操作されたか否かを判別する（ステップＳ１１５）。ステップＳ１１５の判別処理において、「詳細」ボタンは操作されていないと判別したときには、制御部３０２は、図１１Ａ、図１２Ａ、図１３Ａの訪問先候補の一覧リストにおいて、右下端側に示した「終了」ボタンが操作されたか否かを判別する（ステップＳ１１６）。
【００７８】
ステップＳ１１６の判別処理において、「終了」ボタンが操作されたと判別したとする。この場合、制御部３０２は、表示部３０６の表示を、当該アポ無し訪問用営業ツール実行前（図９に示したアポ無し訪問用営業ツール用の入力画面の表示前）の状態に戻すなどの所定の終了処理を行って（ステップＳ１１７）、この図７、図８に示す処理を終了する。また、ステップＳ１１６の判別処理において、「終了」ボタンは操作されていないと判別したときには、制御部３０２は、ステップＳ１１０からの処理を繰り返し、訪問先候補の一覧リストに対しする操作入力の受け付けを継続させる。
【００７９】
そして、ステップＳ１１５の判別処理において、「詳細」ボタンが操作されたと判別したときには、制御部３０２は、図８のステップＳ１１８の処理に進む。この場合、制御部３０２は、要求種別が「訪問先候補についての詳細情報の提供要求」であり、訪問先候補を特定する情報として、「企業ＩＤ、店舗ＩＤ、世帯ＩＤ」などの情報が付加された詳細情報の提供要求を生成し、これを営業支援装置１に送信する（ステップＳ１１８）。
【００８０】
この後、制御部３０２は、当該詳細情報の提供要求に応じて、営業支援装置１から提供される目的とする訪問先候補の詳細情報を受信し（ステップＳ１１９）、当該詳細情報を表示部３０６に表示する（ステップＳ１２０）。例えば、ステップＳ１０９において表示された一覧リストが、図１１Ａに示した訪問先候補が企業の場合の一覧リストであり、当該一覧リストの１番目に表示された「株式会社ＸＸＸ」の「詳細」ボタンが操作されたとする。この場合、ステップＳ１２０で表示される訪問先候補の詳細情報は、図１１Ｂに示す「株式会社ＸＸＸ」についての詳細情報となる。
【００８１】
また、ステップＳ１０９において表示された一覧リストが、図１２Ａに示した訪問先候補が店舗の場合の一覧リストであり、当該一覧リストの１番目に表示された「△□飯店」の「詳細」ボタンが操作されたとする。この場合、ステップＳ１２０で表示される訪問先候補の詳細情報は、図１２Ｂに示す「△□飯店」についての詳細情報となる。同様に、ステップＳ１０９において表示された一覧リストが、図１３Ａに示した訪問先候補が世帯（個人宅）の場合の一覧リストであり、当該一覧リストの１番目に表示された「□□太郎」さんに対して設けられた「詳細」ボタンが操作されたとする。この場合、ステップＳ１２０で表示される訪問先候補の詳細情報は、図１３Ｂに示す「□□太郎」さんについての詳細情報となる。
【００８２】
そして、図１１Ｂ、図１２Ｂ、図１３Ｂに示すように、目的とする訪問先候補についての詳細情報を、表示部３０６を通じて確認することができる。これにより、ユーザー端末装置３を利用する営業担当者は、これから訪問しようと考えている訪問先候補の詳細情報に基づいて、効果的なセールストークを構成することが可能となる。すなわち、訪問先候補の詳細情報はセールストークを構成する上で有用な情報であり、例えば、ネットワーク２上に存在する口コミサイトの評判や店舗などの場合には繁盛や人気の度合いなどの情報を得ることもできる。
【００８３】
そして、図１１Ｂ、図１２Ｂ、図１３Ｂに示したように、各訪問先候補の詳細情報の表示画面には、「地図」ボタン、「電話」ボタン、「メール」ボタン、「ＵＲＬ」ボタン、「ＳＮＳ」ボタンが表示されている。また、表示部３０６の右下端部には「戻る」ボタンも表示されている。この実施の形態において、詳細情報の表示画面には、必ず「地図」ボタンが表示される。そして、当該詳細情報に、電話番号、電子メールアドレス（Ｅメールアドレス）、ホームページやブログのＵＲＬ、ＳＮＳの利用者であることを示す情報が存在する場合には、存在する情報に対応して、「電話」ボタン、「メール」ボタン、「ＵＲＬ」ボタン、「ＳＮＳ」ボタンが表示される。
【００８４】
そして、「地図」ボタンは、図１１Ａ、図１２Ａ、図１３Ａにおいて、各訪問先候補に対応して設けられていた「地図」ボタンと同様に、ユーザー端末装置３の現在位置から、当該詳細情報に対応する訪問先候補までの経路を示す地図を表示するためのものである。また、「電話」ボタンは、当該詳細情報に含まれる「電話番号」を用いて、当該訪問先候補に対して電話を掛けるためのものである。また、「メール」ボタンは、当該詳細情報に含まれる「電子メールアドレス」を用いて、当該訪問先候補に対して電子メールを作成して送信するためのものである。
【００８５】
また、「ＵＲＬ」ボタンは、当該詳細情報に含まれる「ホームページやブログのＵＲＬ」を用いて、当該訪問先候補のホームページやブログにアクセスし、これらホームページやブログのコメント機能を用いて当該訪問先候補にコメントを送信するためのものである。また、「ＳＮＳ」ボタンは、当該詳細情報に含まれる「ＳＮＳを利用していることを示す情報」に応じて、当該ＳＮＳにログインし、当該ＳＮＳのメッセージ送信機能等を用いて当該訪問先候補にメッセージを送信するためのものである。また、「戻る」ボタンは、詳細表示から一覧表示に戻るためのものである。
【００８６】
このため、制御部３０２は、ステップＳ１２０の詳細情報の表示処理の後、詳細情報の表示画面に対する操作入力を受け付ける（ステップＳ１２１）。そして、制御部３０２は、ステップＳ１２１において、「戻る」ボタンが操作されたか否かを判別する（ステップＳ１２２）。ステップＳ１２２の判別処理において、「戻る」ボタンが操作されたと判別したときには、制御部３０２は、図７に示したステップＳ１０９からの処理を繰り返すようにし、訪問先候補の一覧リストの表示に戻る。
【００８７】
また、ステップＳ１２２の判別処理において、「戻る」ボタンは操作されていないと判別したときには、制御部３０２は、操作されたボタンに応じた処理を実行し（ステップＳ１２３）、この後、ステップＳ１２０からの処理を繰り返す。なお、ステップＳ１２３においては、上述もしたように、地図情報の表示、電話発信、電子メールの作成・送信、ホームページやブログを通じてのコメント作成・送信、ＳＮＳを通じてのメッセージの作成・送信などの処理が行われる。
【００８８】
このように、この実施の形態のユーザー端末装置３は、営業支援装置１と協働し、担当者に対して、当該ユーザー担当者のテリトリーと現在位置とに応じた、訪問先候補の一覧リストを提供できる。また、ユーザー端末装置３は、営業支援装置１と協働し、営業担当者からの指示に応じて、目的とする訪問先候補に関する情報として、当該訪問先候補まで経路を示す地図情報や当該訪問先候補の詳細情報を提供することができる。さらに、ユーザー端末装置３は、営業支援装置１からの訪問先候補の詳細情報に応じて、電話を掛けたり、コメントやメッセージを送信したりすることができる。
【００８９】
なお、図７、図８には示さなかったが、例えば、訪問先候補の一覧リストには載っていないが、実際に、営業担当者の近傍に存在している企業、店舗、世帯（個人宅）についての情報が必要であるとする。この場合には、カメラ部３０８やマイクロホン３０９および音声入力部３１０やタッチパネル３０７を通じて、企業、店舗、世帯（個人宅）の名称等の情報をユーザー端末装置３に入力し、これに基づき営業支援装置１に問い合わせを行うこともできる。また、これらの場合の問合せ先は、営業支援装置１に限るものではなく、ネットワーク２上の情報提供サイトに問合せを行うこともできる。
【００９０】
［営業支援装置１の処理］
次に、この実施の形態の営業支援装置１において行われる営業支援処理について説明する。図１４は、営業支援装置１で実行される営業支援処理について説明するためのフローチャートである。図１４に示す処理は、営業支援装置１の制御部１０２が主体となって、常時実行されている処理である。
【００９１】
すなわち、営業支援装置１においては、制御部１０２が要求抽出部１０９を制御し、通信Ｉ／Ｆ１０１を通じて受信する種々の信号の中から自機宛ての要求を受信する処理を行う（ステップＳ２０１）。そして、制御部１０２は、ステップＳ２０１において自機宛ての要求を受信したか否かを判別する（ステップＳ２０２）。ステップＳ２０２の判別処理において、自機宛ての要求を受信していないと判別したときには、ステップＳ２０１からの処理を繰り返し、自機宛ての要求を受信するのを待つ。
【００９２】
そして、ステップＳ２０２の判別処理において、自機宛ての要求を受信したと判別したときには、制御部１０２は、当該要求が訪問先候補の検索要求か否かを判別する（ステップＳ２０３）。ステップＳ２０３の判別は、受信した要求（図１０）の要求種別に基づいて判別できる。ステップＳ２０３において、受信した要求が訪問先候補の検索要求であると判別したとする。
【００９３】
この場合、制御部１０２は、受信した要求の営業担当者ＩＤにより特定される営業担当者のテリトリーと受信した検索要求（図１０）に含まれる現在位置とに基づいて、訪問先候補の検索範囲（検索エリア）を特定する（ステップＳ２０４）。なお、営業担当者のテリトリーは、受信した検索要求の営業担当者ＩＤに基づいて、記憶装置１０３の営業担当者ＤＢ（図２）を参照することにより取得できる。
【００９４】
そして、制御部１０２は、一覧リスト作成部１１０を制御し、検索要求元の営業担当者用の訪問先候補の一覧リストを作成する（ステップＳ２０５）。具体的に、ステップＳ２０５では、一覧リスト作成部１１０が、受信した検索要求の営業担当者ＩＤに基づいて、記憶装置１０３の営業担当者ＤＢ（図２）を参照することにより、当該営業担当者の営業先種別やターゲットを特定する。そして、一覧リスト作成部１１０が、特定した営業先種別やターゲットから、企業ＤＢ１０４、店舗ＤＢ１０５、世帯ＤＢ１０６のいずれのデータベースを検索対象とするかを特定し、特定したＤＢを参照して、ステップＳ２０４で特定した検索範囲における訪問先候補を抽出して一覧リストにまとめる。なお、検索範囲は、地図ＤＢ１０７の情報をも考慮することにより、例えば、現在位置を中心として半径１ｋｍの範囲などというように、詳細に特定することができる。
【００９５】
そして、制御部１０２は、一覧リスト作成部１１０が作成した訪問先候補の一覧リストを、要求元のユーザー端末装置３に送信する（ステップＳ２０６）。この後、制御部１０２は、ステップＳ２０１からの処理を繰り返す。
【００９６】
また、ステップＳ２０３において、受信した要求が訪問先候補の検索要求ではないと判別したときには、制御部１０２は、受信した要求は、訪問先候補に関する情報の提供要求か否かを判別する（ステップＳ２０７）。すなわち、ステップＳ２０７では、受信した要求が、訪問先候補に関する地図情報の提供要求や訪問先候補の詳細情報の提供要求か否かを判別する処理であり、受信した要求の要求種別によって判別可能である。
【００９７】
ステップＳ２０７の判別処理において、受信した要求が訪問先候補に関する情報の提供要求であると判別したときには、制御部１０２は、個別情報取得部１１１を制御して、訪問先候補についての地図情報や詳細情報を取得する（ステップＳ２０８）。なお、地図情報は、地図ＤＢ１０７から取得され、詳細情報は企業ＤＢ１０４、店舗ＤＢ１０５、世帯ＤＢ１０６から取得される。
【００９８】
そして、制御部１０２は、個別情報取得部１１１が取得した訪問先候補に関する情報を、要求元のユーザー端末装置３に送信する（ステップＳ２０９）。この後、制御部１０２は、ステップＳ２０１からの処理を繰り返す。
【００９９】
また、ステップＳ２０７の判別処理において、受信した要求が訪問先候補に関する情報の提供要求ではないと判別したときには、制御部１０２は、受信した要求におじた処理を実行し（ステップＳ２１０）、この後、ステップＳ２０１からの処理を繰り返す。なお、ステップＳ２１０においては、例えば、要求に応じて、営業担当者ＤＢの追加、変更、削除や会社別既存取引先ＤＢの追加、変更、削除などの処理が行われる。
【０１００】
なお、図１４に示した処理とは別に、制御部１０２は、クローリング処理部１０８を制御し、ネットワーク２上の種々のサイト等をクローリングして、企業ＤＢ１０４、店舗ＤＢ１０５、世帯ＤＢ１０６に登録すべき情報を収集し、更新する処理をも行う。また、企業ＤＢ１０４、店舗ＤＢ１０５、世帯ＤＢ１０６を形成するための処理のはじめには、例えば、地図ＤＢ１０７の情報に基づいて、所定の地域毎に、企業、店舗、世帯の１つ１つを特定し、それらについての情報を収集して更新していく。これにより、効率よく、企業ＤＢ１０４、店舗ＤＢ１０５、世帯ＤＢ１０６を整備することができる。
【０１０１】
［実施の形態の効果］
上述したように、この実施の形態の営業支援システムは、既に営業活動を行っている外出先の営業担当者からの要求に応じて、当該営業担当者のテリトリーに属し、すぐに訪問可能な範囲の訪問先候補の一覧リストを当該営業担当者に提供できる。さらに、当該訪問先候補の一覧リストから選択された訪問先候補の詳細情報を、営業担当者に提供できる。これにより、アポイントメント無しのいわゆる飛込み営業を行う場合であっても、これから訪問しようとしている相手先に関する詳細情報を得て、効果的なセールストークを組み立てる際に有用となる情報を営業担当者に提供できる。すなわち、いわゆる既存の得意先を回るルートセールスのための営業支援システムや営業活動の事前準備を支援する営業支援システムとは異なり、営業先において、アポイントメント無しの飛び込み営業を行う際の支援を行う従来にない営業支援システムを実現できる。
【０１０２】
［変形例］
なお、上述した実施の形態においては、ユーザー端末装置３から営業支援装置１に送信する情報の内、ユーザー端末装置３の現在位置は、ＧＰＳ部３０５が取得したものを用いるようにしたが、これに限るものではない。例えば、現在位置として、これから行く自己のテリトリーに属する住所を入力したり、表示される地図情報を通じて取得した現在位置情報（緯度、経度）を入力したりすることもできる。これにより、会社にいるときや移動中の電車の中などにおいても、飛び込み営業を行う場合の訪問先候補の検索や訪問先候補の詳細情報を取得する処理を行うことができる。
【０１０３】
また、上述した記憶装置１０３に形成される営業担当者ＤＢ、会社別既存取引先ＤＢは、上述した実施の形態のものに限られるものではない。さらに詳細な情報を保持するようにしてもよいし、逆に簡略化することも可能である。同様に、企業ＤＢ１０４、店舗ＤＢ１０５、世帯ＤＢ１０６のそれぞれについても、さらに詳細な情報を保持するようにしてもよいし、逆に簡略化してもよい。要は、営業担当者ＤＢの情報により、営業担当者のテリトリー、営業先種別、取扱商品・役務、ターゲットを把握し、これに応じて、企業ＤＢ１０４、店舗ＤＢ１０５、世帯ＤＢ１０６を参照して、訪問先候補の一覧リストが作成できればよい。
【０１０４】
そして、営業担当者のテリトリー、営業先種別、取扱商品・役務、ターゲットをより細かく設定可能にすると共に、企業ＤＢ１０４、店舗ＤＢ１０５、世帯ＤＢ１０６のそれぞれの内容についても、更に細かく分類することが望ましい。具体的には、企業ＤＢ１０４、店舗ＤＢ１０５の営業内容や取扱商品・役務については、できるだけ細かく分類することにより、訪問先候補をより絞り込むことができる。また、企業ＤＢ１０４、店舗ＤＢ１０５、世帯ＤＢ１０６のそれぞれについて、さらに、細かな情報をも含めることにより、セールストークの構成に役立つより多くの情報を営業担当者に提供可能となる。
【０１０５】
また、上述した実施の形態では、企業ＤＢ１０４、店舗ＤＢ１０５、世帯ＤＢ１０６の大きく３つのデータベースを設けるようにしたが、これに限るものではない。例えば、営業先として、官公庁ＤＢ、教育機関ＤＢ、研究機関ＤＢ、組合等ＤＢなど、種々のデータベースを設けるようにしてもよい。また、企業ＤＢを業種毎に形成するなどしてももちろんよい。すなわち、必要な情報のデータベース化および営業形態に応じたデータベースのカテゴライズは、種々の観点から行うことが可能である。
【０１０６】
また、訪問先リストをユーザー端末装置３に記憶保持しておいたり、実際に訪問した相手先の情報を記憶保持しておいたりするように構成することももちろんできる。もちろん、訪問結果や相手先の感触等の営業活動により得られた種々の情報を、訪問先別に入力し、ユーザー端末装置３に記憶保持させるようにしたり、営業支援装置１にフィードバックしたりすることもできる。特に、訪問した相手先の情報をユーザー端末装置３に記憶保持しておくことにより、営業日報や交通費清算書を簡単に作成することもできる。
【０１０７】
［その他］
なお、上述した実施の形態からも分かるように、営業支援装置の第１の記憶手段としての機能は、営業支援装置１の記憶装置１０３が実現し、営業支援装置の第２の記憶手段としての機能は、企業ＤＢ１０４、店舗ＤＢ１０５、世帯ＤＢ１０６が実現している。また、営業支援装置の作成手段としての機能は、営業支援装置１の一覧リスト作成部１１０が実現し、営業支援装置の取得手段の機能は、個別情報取得部１１１が実現している。また、営業支援装置の第１、第２の提供手段としての機能は、通信Ｉ／Ｆ１０１と制御部１０２とが協働して実現している。
【０１０８】
また、端末装置の第１、第２の形成手段の機能は、ユーザー端末装置３の要求形成部３１１が実現し、端末装置の受付手段の機能は、ユーザー端末装置３の主にタッチパネル３０７が実現している。また、端末装置の第１、第２の送信手段、第１、第２の受信手段の機能は、無線通信部３０１と制御部３０２とが協働して実現し、第１、第２の表示制御手段としての機能は、主に制御部３０２が実現している。
【０１０９】
また、営業支援装置の収集手段としての機能は、営業支援装置１のクローリング処理部１０８が実現し、端末装置の連絡実行手段としての機能は、ユーザー端末装置３の連絡実行部３１２が実現している。
【０１１０】
また、図７、図８に示したユーザー端末装置３において実行される処理と、図１４に示した営業支援装置で実行される処理とによって実現される処理とにより、この発明の方法の一実施の形態が実現されている。また、図１４に示したフローチャートに応じたプログラムが、営業支援装置に搭載されたコンピュータにより実行される営業支援プログラムに対応する。また、図７、図８に示したフローチャートに応じたプログラムが、営業端容赦が使用する端末装置に搭載されたコンピュータにより実行される営業支援要求プログラムに対応する。
【符号の説明】
【０１１１】
１…営業支援装置、１０１…通信Ｉ／Ｆ、１０２…制御部、１０３…記憶装置、１０４…企業ＤＢ、１０５…店舗ＤＢ、１０６…世帯ＤＢ、１０７…地図ＤＢ、１０８…クローリング処理部、１０９…要求抽出部、１１０…一覧リスト作成部、１１１…個別情報取得部、２…ネットワーク、３…ユーザー端末装置、３０１…無線通信部、３０１Ａ…送受信アンテナ、３０２…制御部、３０３…記憶装置、３０４…操作部、３０５…ＧＰＳ部、３０５Ａ…ＧＰＳアンテナ、３０６…表示部、３０７…タッチパネル、３０８…カメラ部、３０９…マイクロホン、３１０…音声入力部、３１１…要求形成部、３１２…連絡実行部、４…情報提供サイト、５…ＳＮＳ
【図１】
2014056364.tif 000003
【図２】
2014056364.tif 000004
【図３】
2014056364.tif 000005
【図４】
2014056364.tif 000006
【図５】
2014056364.tif 000007
【図６】
2014056364.tif 000008
【図７】
2014056364.tif 000009
【図８】
2014056364.tif 000010
【図９】
2014056364.tif 000011
【図１０】
2014056364.tif 000012
【図１１】
2014056364.tif 000013
【図１２】
2014056364.tif 000014
【図１３】
2014056364.tif 000015
【図１４】
2014056364.tif 000016